【手続補正書】
【提出日】平成21年4月1日(2009.4.1)
【手続補正１】
【補正対象書類名】特許請求の範囲
【補正対象項目名】全文
【補正方法】変更
【補正の内容】
【特許請求の範囲】
【請求項１】
第１の電極と第２の電極との間に電気泳動粒子を含有する分散系を有する電気泳動表示装置の駆動方法であって、
前記第１の電極および前記第２の電極の間に電圧を印加する第１のステップと、
前記第１のステップの後、前記電気泳動粒子の運動に制動をかけるための制動電圧を前記第１の電極および前記第２の電極の間に印加する第２のステップと、
を有することを特徴とする電気泳動表示装置の駆動方法。
【請求項２】
請求項１に記載の電気泳動表示装置の駆動方法であって、
前記第２のステップにおける前記第１の電極の電位は、前記第１のステップにおいて前記第１の電極の電位が前記第２の電極の電位より高い場合には前記第２の電極の電位より低く、前記第１のステップにおいて前記第１の電極の電位が前記第２の電極の電位より低い場合には前記第２の電極の電位より高いことを特徴とする電気泳動表示装置の駆動方法。
【請求項３】
請求項１または２に記載の電気泳動表示装置の駆動方法であって、
前記第１のステップは、表示階調に対応した位置へ前記電気泳動粒子を移動させるために、前記表示階調に対応した印加時間にわたって、前記第１の電極および前記第２の電極の間に所定の電圧を印加するステップであることを特徴とする電気泳動表示装置の駆動方法。
【請求項４】
請求項３に記載の電気泳動表示装置の駆動方法であって、
前記第２のステップにおける前記制動電圧の印加時間は、前記第１のステップにおける前記電圧の印加時間に応じた、前記電気泳動粒子を停止させるのに必要な時間であることを特徴とする電気泳動表示装置の駆動方法。
【請求項５】
第１の電極と第２の電極との間に電気泳動粒子を含有する分散系を有する電気泳動表示装置の駆動回路であって、
前記第１の電極に電位を与える第１駆動部と、前記第２の電極に電位を与える第２駆動部とを有し、
前記第１駆動部および前記第２駆動部は、
前記第１の電極および前記第２の電極の間に電圧を印加する第１のステップと、
前記第１のステップの後、前記電気泳動粒子の運動に制動をかけるための制動電圧を前記第１の電極および前記第２の電極の間に印加する第２のステップと、
を実行することを特徴とする電気泳動表示装置の駆動回路。
【請求項６】
第１の電極および第２の電極と、
前記第１の電極と前記第２の電極との間に配置された、電気泳動粒子を含有する分散系と、
を有する電気泳動表示装置であって、
前記第１の電極および前記第２の電極の間に所定の電圧が印加され、
前記所定の電圧が印加された後、前記電気泳動粒子の運動に制動をかけるための制動電圧が前記第１の電極および前記第２の電極の間に印加されることを特徴とする電気泳動表示装置。
【請求項７】
請求項６に記載の電気泳動表示装置であって、
前記制動電圧が印加される際の前記第１の電極の電位は、前記所定の電圧が印加される際の前記第１の電極の電位が前記第２の電極の電位より高い場合には前記第２の電極の電位より低く、前記所定の電圧が印加される際の前記第１の電極の電位が前記第２の電極の電位より低い場合には前記第２の電極の電位より高いことを特徴とする電気泳動表示装置。
【請求項８】
請求項６または７に記載の電気泳動表示装置であって、
前記所定の電圧は、表示階調に対応した位置へ前記電気泳動粒子を移動させるために、前記表示階調に対応した印加時間にわたって、前記第１の電極および前記第２の電極の間に印加されることを特徴とする電気泳動表示装置。
【請求項９】
請求項８に記載の電気泳動表示装置であって、
前記制動電圧の印加時間は、前記所定の電圧の前記印加時間に応じた、前記電気泳動粒子を停止させるのに必要な時間であることを特徴とする電気泳動表示装置。
【請求項１０】
請求項６から９のいずれか一項に記載の電気泳動表示装置を表示部に備えることを特徴とする電子機器。
【手続補正２】
【補正対象書類名】明細書
【補正対象項目名】発明の名称
【補正方法】変更
【補正の内容】
【発明の名称】電気泳動表示装置の駆動方法、駆動回路、電気泳動表示装置および電子機器
【手続補正３】
【補正対象書類名】明細書
【補正対象項目名】０００４
【補正方法】変更
【補正の内容】
【０００４】
上記目的を達成するため、本発明の電気泳動表示装置の駆動方法は、第１の電極と第２の電極との間に電気泳動粒子を含有する分散系を有する電気泳動表示装置の駆動方法であって、前記第１の電極および前記第２の電極の間に電圧を印加する第１のステップと、前記第１のステップの後、前記電気泳動粒子の運動に制動をかけるための制動電圧を前記第１の電極および前記第２の電極の間に印加する第２のステップと、を有することを特徴とする。
上記電気泳動表示装置の駆動方法においては、前記第２のステップにおける前記第１の電極の電位は、前記第１のステップにおいて前記第１の電極の電位が前記第２の電極の電位より高い場合には前記第２の電極の電位より低く、前記第１のステップにおいて前記第１の電極の電位が前記第２の電極の電位より低い場合には前記第２の電極の電位より高いことが好ましい。
上記電気泳動表示装置の駆動方法においては、前記第１のステップは、表示階調に対応した位置へ前記電気泳動粒子を移動させるために、前記表示階調に対応した印加時間にわたって、前記第１の電極および前記第２の電極の間に所定の電圧を印加するステップであることが好ましい。
上記電気泳動表示装置の駆動方法においては、前記第２のステップにおける前記制動電圧の印加時間は、前記第１のステップにおける前記電圧の印加時間に応じた、前記電気泳動粒子を停止させるのに必要な時間であることが好ましい。
本発明の電気泳動表示装置の駆動回路は、第１の電極と第２の電極との間に電気泳動粒子を含有する分散系を有する電気泳動表示装置の駆動回路であって、前記第１の電極に電位を与える第１駆動部と、前記第２の電極に電位を与える第２駆動部とを有し、前記第１駆動部および前記第２駆動部は、前記第１の電極および前記第２の電極の間に電圧を印加する第１のステップと、前記第１のステップの後、前記電気泳動粒子の運動に制動をかけるための制動電圧を前記第１の電極および前記第２の電極の間に印加する第２のステップと、を実行することを特徴とする。
本発明の電気泳動表示装置は、第１の電極および第２の電極と、前記第１の電極と前記第２の電極との間に配置された、電気泳動粒子を含有する分散系と、を有する電気泳動表示装置であって、前記第１の電極および前記第２の電極の間に所定の電圧が印加され、前記所定の電圧が印加された後、前記電気泳動粒子の運動に制動をかけるための制動電圧が前記第１の電極および前記第２の電極の間に印加されることを特徴とする。
上記電気泳動表示装置においては、前記制動電圧が印加される際の前記第１の電極の電位は、前記所定の電圧が印加される際の前記第１の電極の電位が前記第２の電極の電位より高い場合には前記第２の電極の電位より低く、前記所定の電圧が印加される際の前記第１の電極の電位が前記第２の電極の電位より低い場合には前記第２の電極の電位より高いことが好ましい。
上記電気泳動表示装置の駆動方法においては、前記所定の電圧は、表示階調に対応した位置へ前記電気泳動粒子を移動させるために、前記表示階調に対応した印加時間にわたって、前記第１の電極および前記第２の電極の間に印加されることが好ましい。
上記電気泳動表示装置の駆動方法においては、前記制動電圧の印加時間は、前記所定の電圧の前記印加時間に応じた、前記電気泳動粒子を停止させるのに必要な時間であることが好ましい。
本発明の電子機器は、上記電気泳動表示装置を表示部に備えることを特徴とする。
また、本発明の電気泳動表示装置の駆動方法の別の態様は、第１の電極と第２の電極との間に電気泳動粒子を含有する分散系を挟持してなる電気泳動装置の駆動方法であって、画像データに基づき、一定電圧を用いて前記第１の電極および第２の電極の間における当該画素の表示階調に対応した位置まで前記電気泳動粒子を移動させるのに必要な印加時間を決定する決定ステップと、前記決定ステップにて決定された印加時間だけ、前記第１および第２の電極間に前記一定電圧を印加するステップと、前記一定電圧の印加後、前記第１および第２の電極を等電位にするステップとを有することを特徴とする。